Podtech/llm-jp-corpus-v4-ja_patent huggingface dataset:
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
外周面の少なくとも一部が凹凸状に加工され、かつ該外周面に離型剤が塗布されていることを特徴とする弾性ローラの軸芯体。
【請求項２】
前記外周面の全面が凹凸状に加工され、かつ該外周面の全面に離型剤が塗布されていることを特徴とする請求項１記載の弾性ローラの軸芯体。
【請求項３】
前記外周面の凹凸状に加工された部分の１０点平均粗さが５０〜３００μｍであることを特徴とする請求項１または２に記載の弾性ローラの軸芯体。
【請求項４】
前記離型剤がフッ素系離型剤であることを特徴とする請求項１〜３のいずれかに記載の弾性ローラの軸芯体。
【請求項５】
請求項１〜４のいずれかに記載の軸芯体と、該軸芯体の周面に形成された弾性層とを有することを特徴とする弾性ローラ。
【請求項６】
弾性ローラの再生方法であって、請求項５に記載の弾性ローラの弾性層を剥がして軸芯体の外周面を露出させた後、該軸芯体の外周面に弾性層を再び設ける工程を有することを特徴とする弾性ローラの再生方法。
【請求項７】
前記工程において、露出させた軸芯体の外周面に離型剤を塗布した後、弾性層を再び設けることを特徴とする請求項６に記載の弾性ローラの再生方法。
【手続補正２】
【補正対象書類名】明細書
【補正対象項目名】００１４
【補正方法】変更
【補正の内容】
【００１４】
上記課題を解決するため、本発明の弾性ローラの軸芯体は、外周面の少なくとも一部が凹凸状に加工され、かつ該外周面に離型剤が塗布されていることを特徴とする。すなわち、本発明の軸芯体は、外周面に離型剤が塗布されているために軸芯体を再生する際には容易に弾性層を軸芯体から剥がすことができ、また外周面の少なくとも一部が凹凸状に加工されることによって回転方向の剪断力に対しては高い耐久性を示す。
【手続補正３】
【補正対象書類名】明細書
【補正対象項目名】００１５
【補正方法】変更
【補正の内容】
【００１５】
本発明にかかる弾性ローラは、上記構成の軸芯体と、該軸芯体の周面に形成された弾性層とを有することを特徴とする。
【手続補正４】
【補正対象書類名】明細書
【補正対象項目名】００１６
【補正方法】変更
【補正の内容】
【００１６】
本発明にかかる弾性ローラの再生方法は、上記構成の弾性ローラの弾性層を剥がして軸芯体の外周面を露出させた後、該軸芯体の外周面に弾性層を再び設ける工程を有することを特徴とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００２２
【補正方法】変更
【補正の内容】
【００２２】
弾性ローラは、例えば図２に示すような断面構造を有し、図３にも示すように軸芯体６と、該軸芯体６の外周上に同芯円状に形成された弾性層７を有する。また、形成された該弾性層７の外周上に表層８として樹脂層を形成することもできる。
【手続補正８】
【補正対象書類名】明細書
【補正対象項目名】００２３
【補正方法】変更
【補正の内容】
【００２３】
本発明で使用する軸芯体６は、例えば、炭素鋼合金表面に５μｍ厚さの工業ニッケルメッキを施した円柱である。軸芯体６を構成する材料としては他にも、例えば鉄、鋼、アルミニウム、チタン、銅及びニッケル等の合金やこれらの金属を含むステンレス、ジュラルミン、真鍮及び青銅等の合金、さらにカーボンブラックや炭素繊維をプラスチックで固めた複合材料等の剛直で導電性を示す公知の材料を使用することも出来る。また、形状としては、円柱状のほかに中心部分を空洞とした円筒形状とすることもできる。
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
アクセスが制限されているデータへのアクセスを、各ユーザのアクセス権に基づいて制御する情報処理装置であって、
前記データのアクセスを一時的に許可するユーザを指定する指定手段と、
前記指定手段により指定されたユーザのいずれかがアクセス権を持つデータ群を検索する検索手段と、
前記検索手段により検索された前記データ群から、前記指定手段により指定されたユーザのそれぞれがアクセス可能なデータを抽出して、それぞれ対応するユーザに対して提示する提示手段と、
を有することを特徴とする情報処理装置。
【請求項２】
更に、ユーザによるアクセスを一時的に許可するデータを指定するデータ指定手段を有し、
前記提示手段は、更に、前記データ指定手段により指定されたデータを追加して提示することを特徴とする請求項１に記載の情報処理装置。
【請求項３】
前記指定手段及び／又は前記データ指定手段における、前記アクセスを一時的に許可する期間、ユーザ端末、ユーザ端末の属性及びデータのコンテキストの少なくともいずれかを指定するアクセス条件指定手段を更に有し、前記提示手段は、更に、前記アクセス条件指定手段により指定された前記アクセスを一時的に許可する期間、端末、端末属性及びコンテキストに応じて、各対応するユーザに提示することを特徴とする請求項２に記載の情報処理装置。
【請求項４】
前記指定手段が指定するユーザは所定の会議に参加しているメンバーを含み、前記提示手段は前記会議に参加しているメンバーに対応するユーザに対して提示することを特徴とする請求項１に記載の情報処理装置。
【請求項５】
アクセスが制限されているデータへのアクセスを、各ユーザのアクセス権に基づいて制御する情報処理装置における情報処理方法であって、
前記データのアクセスを一時的に許可するユーザを指定する指定工程と、
前記指定工程で指定されたユーザのいずれかがアクセス権を持つデータ群を検索する検索工程と、
前記検索工程で検索された前記データ群から、前記指定工程で指定されたユーザのそれぞれがアクセス可能なデータを抽出して、それぞれ対応するユーザに対して提示する提示工程と、
を有することを特徴とする情報処理方法。
【請求項６】
更に、ユーザによるアクセスを一時的に許可するデータを指定するデータ指定工程を有し、
前記提示工程では、更に、前記データ指定工程で指定されたデータを追加して提示することを特徴とする請求項５に記載の情報処理方法。
【請求項７】
前記指定工程及び／又は前記データ指定工程における、前記アクセスを一時的に許可する期間、ユーザ端末、ユーザ端末の属性及びデータのコンテキストの少なくともいずれかを指定するアクセス条件指定工程を更に有し、前記提示工程は、更に、前記アクセス条件指定工程で指定された前記アクセスを一時的に許可する期間、端末、端末属性及びコンテキストに応じて、各対応するユーザに提示することを特徴とする請求項６に記載の情報処理方法。
【請求項８】
前記指定工程において、前記ユーザは所定の会議に参加しているメンバーを含み、前記提示工程は前記会議に参加しているメンバーに対応するユーザに対して提示することを特徴とする請求項５に記載の情報処理方法。
【請求項９】
請求項５乃至８のいずれか１項に記載の情報処理方法をコンピュータに実行させることを特徴とするプログラム。
【請求項１０】
請求項９に記載のプログラムを記憶していることを特徴とする、コンピュータにより読み取り可能な記憶媒体。
【手続補正書】
【提出日】平成19年12月28日(2007.12.28)
【手続補正１】
【補正対象書類名】明細書
【補正対象項目名】特許請求の範囲
【補正方法】変更
【補正の内容】
【特許請求の範囲】
【請求項１】  無機繊維の集合体によって形成され、有機物を実質的に含有しない断熱材本体からなるとともに、前記断熱材本体が、少なくともその表面部分において、前記無機繊維の熱変形に由来する非鋭利な先端と、繊維間の部分的な結合とを備えた無機繊維からなることを特徴とする断熱材。
【請求項２】  前記断熱材本体が、セラミック繊維の積層体をフェルト化処理した後に焼成し、さらに前記セラミック繊維の変形温度を上回る温度で加熱処理したものであることを特徴とする請求項１に記載の断熱材。
【請求項３】  ケーシング、
前記ケーシング内に設置された触媒要素、及び
前記ケーシングと前記触媒要素との間に配置された断熱材、
を備える触媒コンバータであって、
前記断熱材が、無機繊維の集合体によって形成され、有機物を実質的に含有しない断熱材本体からなるとともに、前記断熱材本体が、少なくともその表面部分において、前記無機繊維の熱変形に由来する非鋭利な先端と、繊維間の部分的な結合とを備えた無機繊維からなることを特徴とする触媒コンバータ。
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
電池プレート群を形成する装置であって、２つのメイン・プレート搬送ライン（１５、１５’）を具備し、
前記２つのメイン・プレート搬送ライン（１５、１５’）の各々は、
電池プレートのセパレータを供給するための、ステーション（１２、        １２’）と、
前記２つのメイン・プレート搬送ライン（１５、１５’）の搬送方向        に対して、前記ステーション（１２、１２’）の上流の位置で、前記２つのメイ        ン・プレート搬送ライン（１５、１５’）に、電池プレートを供給する、前記２        つのメイン・プレート搬送ライン（１５、１５’）に共通の手段（１１，１１’         ，２０）と、
前記２つのメイン・プレート搬送ライン（１５、１５’）の搬送方向        に対して、前記ステーション（１２、１２’）の下流の位置で、前記２つのメイ        ン・プレート搬送ライン（１５、１５’）に、電池プレートを供給する、前記２        つのメイン・プレート搬送ライン（１５、１５’）に共通の手段（２０，１３，        １３’）と、
を具備することを特徴とする、電池プレート群を形成する装置。
【請求項２】
さらに、前記２つのメイン・プレート搬送ライン（１５、１５’）の両方から供給される、電池プレートを、組み合わせて、ハンドリングする、ハンドリング装置を具備する、ことを特徴とする、請求項１に記載の電池プレート群を形成する装置。
【請求項３】
前記２つのメイン・プレート搬送ライン（１５、１５’）の各々は、それぞれ、２つのスタッカ（１６，１６’）の１つに、前記電池プレート群を、供給し、プレート・ハンドリング装置は、前記２つのスタッカ（１６，１６’）から、交互に、電池プレート群を取り出す、ことを特徴とする、請求項１に記載の電池プレート群を形成する装置。
【請求項４】
電池プレート群を形成する装置であって、２つのメイン・コンベア（１５、１５’）と、２つの供給コンベア（２０）と、を具備し、
前記２つのメイン・コンベア（１５、１５’）の各々は、電池プレートのセパレータを供給する、ステーション（１２、１２’）を具備し、
前記２つの供給コンベア（２０）の各々は、２つの電池プレート供給装置（１１，１１’；１３，１３’）に、電池プレートを、供給し、
前記２つの電池プレート供給装置（１１，１１’）の各々は、前記２          つのメイン・プレート搬送ライン（１５、１５’）の搬送方向に対して、前記          ステーション（１２、１２’）の上流の位置で、前記２つのメイン・プレート          搬送ライン（１５、１５’）に、電池プレート群を、供給する、前記２つの供          給コンベア（２０）の一方によって、前記電池プレート群を、供給され、
前記２つの電池プレート供給装置（１３，１３’）の各々は、前記          ２つのメイン・プレート搬送ライン（１５、１５’）の搬送方向に対して、前          記ステーション（１２、１２’）の下流の位置で、前記２つのメイン・プレー          ト搬送ライン（１５、１５’）に、電池プレート群を供給する、前記２つの供          給コンベア（２０）の他方によって、前記電池プレート群を、供給される、
ことを特徴とする、電池プレート群を形成する装置。
【請求項５】
さらに、前記２つのメイン・プレート搬送ライン（１５、１５’）の両方から供給される、電池プレートを、組み合わせて、ハンドリングする、ハンドリング装置を具備する、ことを特徴とする、請求項４に記載の電池プレート群を形成する装置。
【請求項６】
前記２つのメイン・プレート搬送ライン（１５、１５’）の各々は、それぞれ、２つのスタッカ（１６，１６’）の１つに、電池プレートを、供給し、プレート・ハンドリング装置は、前記２つのスタッカ（１６，１６’）から、交互に、電池プレートを取り出す、ことを特徴とする、請求項４に記載の電池プレート群を形成する装置。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
ピン留めする項目を選択するステップと、
ユーザによって選択された前記項目をピン留めするステップと、
関連するピン留めされていない項目と区別され、および該関連するピンニングされていない項目より高い優先順位とするように、ピン留めされていない項目より先に前記ピン留めされた項目を自動的に表示するステップと
を備えたことを特徴とする項目をピン留めし、および表示する方法。
【請求項２】
前記ピン留めされた項目を表示するステップは、前記項目がピン留めされていることを示す視覚的な標識を含めるステップを含むことを特徴とする請求項１に記載の方法。
【請求項３】
ピン留めするために選択された前記項目のコピーを自動的に作成するステップをさらに備えたことを特徴とする請求項１に記載の方法。
【請求項４】
前記ピン留めされた項目は、連絡先、フォルダ、ファイル、フィールド、アプリケーション、およびメッセージを含むグループから選択されることを特徴とする請求項１に記載の方法。
【請求項５】
前記関連するピン留めされていない項目と区別され、および関連するピン留めされていない項目より高い優先順位とするように前記ピンニングされた項目を表示するステップは、リストビューの先頭に前記ピン留めされた項目を表示するステップを含むことを特徴とする請求項１に記載の方法。
【請求項６】
カテゴリと関連付けられると、前記ピン留めされた項目をカテゴリビューで表示するステップをさらに備えたことを特徴とする請求項５に記載の方法。
【請求項７】
他のピン留めされた項目と相対的に場所を変更することができるように前記ピン留めされた項目を管理するステップをさらに備えたことを特徴とする請求項４に記載の方法。
【請求項８】
前記ピン留めされた項目を管理するステップは、ピン留めされた項目を削除するステップを含むことを特徴とする請求項７に記載の方法。
【請求項９】
前記ピン留めされた項目を削除する前記ステップは、ピン留めされていない項目リスト内に対応する項目を保持するステップを含むことを特徴とする請求項８に記載の方法。
【請求項１０】
項目を表示するように構成されたディスプレイと、
ユーザによって選択された項目をピン留めするステップ、ならびに
関連するピン留めされていない項目と区別され、および該関連するピン留めされていない項目より高い優先順位とするように、ピン留めされていない項目より先に前記ピン留めされた項目を自動的に表示するよう前記ディスプレイに命令するステップ
を実施するように構成された、ピン留めされた項目のアプリケーションと
を備えたことを特徴とする項目を表示するシステム。
【請求項１１】
前記ピン留めされた項目は、該ピン留めされた項目がピン留めされていることを示すアイコンを含むことを特徴とする請求項１０に記載のシステム。
【請求項１２】
前記ピン留めされた項目のアプリケーションは、ピン留めするために選択された前記項目のコピーを自動的に作成して、前記ピン留めされた項目として使用するように構成されたことを特徴とする請求項１０に記載のシステム。
【請求項１３】
前記ピン留めされた項目を表示するよう前記ディスプレイに命令する前記ステップは、現在表示されているカテゴリビューに関連付けられた場合に限り、前記ピン留めされた項目を表示するステップを含むことを特徴とする請求項１０に記載のシステム。
【請求項１４】
前記ピン留めされた項目のアプリケーションは、前記ピン留めされた項目を管理するように構成されたことを特徴とする請求項１０に記載のシステム。
【請求項１５】
前記ピン留めされた項目を管理するステップは、前記ピン留めされた項目リスト内の前記ピン留めされた項目を移動するステップを含むことを特徴とする請求項１３に記載のシステム。
【請求項１６】
前記ピン留めされた項目を管理するステップは、前記ピン留めされた項目の少なくとも１つを削除するステップを含むことを特徴とする請求項１４に記載のシステム。
【請求項１７】
ピン留めする項目を選択するステップと、
ユーザによって選択された前記項目をピン留めするステップと、
関連するピン留めされていない項目と区別され、および該関連するピン留めされていない項目より高い優先順位とするように、ピン留めされていない項目より先に前記ピン留めされた項目を自動的に表示するステップと
を備えたことを特徴とする項目を表示するためのコンピュータ読取り可能な記憶媒体。
【請求項１８】
前記ピン留めされた項目を表示する前記ステップは、前記項目がピン留めされていることを示すアイコンを含めるステップを含むことを特徴とする請求項１７に記載のコンピュータ読取り可能な記憶媒体。
【請求項１９】
ピン留めする連絡先項目のコピーを自動的に作成するステップをさらに備え、該コピーは前記ピン留めされた項目として用いられることを特徴とする請求項１７に記載のコンピュータ読取り可能な記憶媒体。
【請求項２０】
前記ピン留めされた項目を表示するステップは、リストビューの先頭に前記ピン留めされた項目を表示するステップを含むことを特徴とする請求項１７に記載のコンピュータ読取り可能な記憶媒体。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
コンピュータで機械学習アプローチを実施してドキュメントの関連性を決定するシステムであって、
肯定的テストケースとして使用すべき、人または機械が選択した１組のアイテムを受け取るストレージコンポーネントと、
肯定的テストケースとしての前記人または機械が選択したアイテム、および否定的テストケースとしての１つまたは複数の他のアイテムを用いて少なくとも１つの分類機構をトレーニングしてクエリから独立したモデルを提供するトレーニングコンポーネントとを備え、
前記トレーニング済みの分類機構が、統計ベース又は確率ベースの探索から得られたドキュメントをフィルタするために使用されることを特徴とするシステム。
【請求項２】
前記否定的テストケースは、統計的探索によって選択されることを特徴とする請求項１に記載のシステム。
【請求項３】
前記トレーニング済みの分類機構は、新しい肯定的ケースを選択する際に個人を助けるために使用されることを特徴とする請求項１に記載のシステム。
【請求項４】
前記フィルタの出力は、肯定的ケースが否定的ケースの前に格付けされるように格付けされることを特徴とする請求項１に記載のシステム。
【請求項５】
前記出力は、それらが肯定的ケースであるという確率に従って格付けされることを特徴とする請求項１に記載のシステム。
【請求項６】
前記ストレージコンポーネントは、ユーザにとって関心のある関連サイト、ドキュメント、またはデータアイテムのログを含むことを特徴とする請求項１に記載のシステム。
【請求項７】
前記ストレージコンポーネントは、集中ストアについての、または、ウェブサイト、ドキュメントのコレクション、百科事典、ローカルデータソース、リモートデータソースなど分散ソースからの情報を含むことを特徴とする請求項６に記載のシステム。
【請求項８】
前記分類機構は、前記ストレージコンポーネント中のデータを自動的に分析して、ユーザインターフェースと対話することができる１つまたは複数のツールを支援するために使用されることを特徴とする請求項１に記載のシステム。
【請求項９】
前記ツールは、管理ツール、編集ツール、および格付けツールのうちの少なくとも１つを含むことを特徴とする請求項８に記載のシステム。
【請求項１０】
前記ツールは、オンライン方式およびオフライン方式のうちの少なくとも一方で使用されることを特徴とする請求項８に記載のシステム。
【請求項１１】
前記分類機構を肯定的テストデータおよび否定的テストデータに従ってトレーニングして、ドキュメント、または有用な情報の他のサイトを示唆するリンクなどからアイテムの関連性を決定することを特徴とする請求項１に記載のシステム。
【請求項１２】
機械学習分類機構をトレーニングするための１組の手動で選択されるドキュメントまたはアイテムをさらに含むことを特徴とする請求項１１に記載のシステム。
【請求項１３】
前記分類機構を新しい用語に適用して最善策または関連ドキュメントを識別することを特徴とする請求項１１に記載のシステム。
【請求項１４】
様々なトレーニングの反復にわたって新しいモデルをブートストラップし、より正確な情報検索活動のために使用される学習表現の成長モデルを実施するステップをさらに含むことを特徴とする請求項１１に記載のシステム。
【請求項１５】
編集者によって手動で選択される最善策をさらに含むことを特徴とする請求項１４に記載のシステム。
【請求項１６】
ユーザが閲覧または検索するのに十分に関心があると考える可能性が高いタイプのドキュメントまたはアイテムを表示する可能性を最大化するコンポーネントをさらに含むことを特徴とする請求項１５に記載のシステム。
【請求項１７】
前記分類機構は、以下の学習技法、すなわちサポートベクトルマシン（ＳＶＭ）、ナイーブベイズ、ベイズネット、判定ツリー、類似ベース、ベクトルベース、隠しマルコフモデル、または他の学習技法のうちの少なくとも１つを含むことを特徴とする請求項１に記載のシステム。
【請求項１８】
情報の後処理を実施して、ユーザまたは管理者に対するドキュメントまたはサイトの関連性を決定するコンポーネントをさらに含むことを特徴とする請求項１に記載のシステム。
【請求項１９】
前記後処理は、所定の確率しきい値による格付けを含み、関連性についてのより高い確率を有するアイテムは、より低い確率を有するアイテムの前に提示されることを特徴とする請求項１８に記載のシステム。
【請求項２０】
表示アイテムに追加されてドキュメントまたはサイトの関連性または重要度を示す明示的な注釈をさらに含むことを特徴とする請求項１８に記載のシステム。
【請求項２１】
請求項１に記載の前記トレーニングコンポーネントおよび前記ストレージコンポーネントを実施するためのコンピュータ読取り可能命令が記憶されていることを特徴とするコンピュータ読取り可能媒体。
【請求項２２】
データ用語についてのトレーニングセットを決定する手段と、
前記トレーニングセットを自動的に分類する手段と、
前記分類済みのトレーニングセットから新しいアイテムを決定する手段と、
情報検索要求に従って前記新しいアイテムを提示する手段と
を備えることを特徴とするコンピュータベースの情報検索システム。
【請求項２３】
前記分類されたトレーニングセットをテストする手段をさらに備えることを特徴とする請求項２２に記載のシステム。
【請求項２４】
コンピュータで自動化された情報検索を実施する方法であって、
ｎを整数として、データログからｎ個のクエリを処理するステップと、
前記ｎ個のクエリから関連候補を識別するステップと、
分類機構をトレーニングして後続の探索活動のための他の関連候補を識別するステップと
を含むことを特徴とする方法。
【請求項２５】
１つの情報が、所与のクエリまたはトピックについて提示することが望ましいか否かを判定する分析を編集者に転送するステップをさらに含むことを特徴とする請求項２４に記載の方法。
【請求項２６】
可能性のあるドキュメントまたはサイトのリストから関連候補を抽出するステップと、最善策を他の統計的格付けの前に自動的に配置するステップとをさらに含むことを特徴とする請求項２４に記載の方法。
【請求項２７】
あるドキュメントが関連する確率によって結果を再格付けするステップをさらに含み、各ドキュメントは、ダウンロードされ、用語は、前記ドキュメント中に現れる用語について抽出され、ルックアップされることを特徴とする請求項２４に記載の方法。
【請求項２８】
分類すべき少なくとも１つのカテゴリを決定するステップをさらに含むことを特徴とする請求項２４に記載の方法。
【請求項２９】
トレーニングデータセットのサブセットを使用して前記分類済みのカテゴリをテストするステップをさらに含むことを特徴とする請求項２８に記載の方法。
【請求項３０】
関連性カテゴリについてのトレーニングデータセットに関連した第１のデータフィールドと、
前記関連性カテゴリに属する新しい１組のデータアイテムに関連した第２のデータフィールドと、
前記新しい１組のデータアイテムについての確率格付けに関連した第３のデータフィールドと
を含む、データ構造が記憶されていることを特徴とするコンピュータ読取り可能媒体。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
ディスク・ドライブのヘッドを消磁する装置であって、
パルスを生成する発振器と、
消磁期間を決定するカウンタ制御回路であって、消磁電流がヘッドに供給されるときに、該消磁電流を変調するパルス期間およびパルスの数を示す信号を受信するためのカウンタ制御回路と、
制御信号に応じて該消磁電流を発生するライタ・ドライバであって、該パルスが該消磁電流を変調して該ヘッドを消磁するようになっているライタ・ドライバとを備え、
該カウンタ制御回路は、所定の制御信号プロファイルに応答して該制御信号を生成するコンポーネントから成り、該制御信号が該ライタ・ドライバを制御して、該消磁電流を時間と共に減少させるようになっている装置。
【請求項２】
該消磁期間を決定する該カウンタ制御回路は、２Ｔの周期を有する該パルスに応じて該消磁期間中カウント値を生成するシフト・レジスタ・カウンタを含み、該カウント値は複数のパルスから発生され、該複数のパルスの各々のパルス期間がＴである請求項１に記載の装置。
【請求項３】
該シフト・レジスタ・カウンタは複数のマスタ出力端子と複数のスレーブ出力端子とを含み、各ステップが該パルス期間Ｔだけ前記ユニットから遅延されているステップ状の出力の系列を生成する請求項２に記載の装置。
【請求項４】
該制御信号は、該ステップ状の出力の系列に応じて該デジタル−アナログ・コンバータに印加される二進の値に応じて生成される請求項３に記載の装置。
【請求項５】
該二進の値は温度計コードまたは二進コードの一方に従って生成される請求項４に記載の装置。
【請求項６】
該発振器、該カウンタ制御回路および消磁電流を生成する該ライタ・ドライバは、該ディスク・ドライブ・ヘッドをさらに含むディスク・ドライブ・システムのプリアンプに配置されている請求項１に記載の装置。
【請求項７】
該コンポーネントが、該ステップ状の出力の系列を該制御信号として利用される二進コードに変換する変換ロジックを含む請求項３に記載の装置。
【請求項８】
書き込みヘッドを消磁する消磁パスを生成する工程と、
消磁期間に挿入される合成データパルスの数を表すデジタル値により制御された時間変動コード化信号を所定の制御信号プロファイルに従う制御信号に変換する工程と、
該制御信号に応じて時間と共に減少する消磁電流を生成する工程と、
消磁パルスにより消磁電流を変調する工程と、
書込みヘッドを消磁するために、書込みヘッドへ変調された消磁電流を供給する工程とを含む、磁気データ記録システムの、書込みヘッドを消磁する方法。
【請求項９】
該時間変動コード化信号を変換する工程が、温度計コードに従う該時間変動コード化信号を発生する処理から成る請求項８に記載の方法。
【請求項１０】
該制御信号が書込みヘッドに消磁電流を供給する、複数のトランジスタの動作条件を制御する請求項８に記載の方法。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
受動性部分と能動性部分とを有する集積化された偏光スプリッタであって、
前記受動性部分にアレー導波路グレーティング（ＡＷＧ）を含み、前記ＡＷＧが、
入力カプラと、
出力カプラと、
前記入力カプラと出力カプラを接続する等しくない長さの複数の導波路を含み、
前記ＡＷＧの少なくとも２つの出力ポートが、前記ＡＷＧの出力側の自由空間領域の異なった位相面に到達する単一チャネル入力信号の第１の偏光成分と第２の偏光成分が前記出力ポートの別々のポートによってそれぞれ受信されるように入力ポートに対して配置され、それにより、前記第１の偏光成分と前記第２の偏光成分が前記ＡＷＧによって分けられ、
前記能動性部分及び前記受動性部分が能動性／受動性モノリシック集積化技術により集積化され、前記能動性部分は、前記ＡＷＧにより分けられた前記第１の偏光成分及び前記第２の偏光成分のうち少なくとも一方を個別に修正する少なくとも１つの能動性デバイスを含む偏光スプリッタ。
【請求項２】
前記第１の偏光成分がＴＥモードを含み、前記第２の変更モードが前記入力信号のＴＭモードを含む、請求項１に記載の偏光スプリッタ。
【請求項３】
波長で単一チャネル入力信号から前記ＡＷＧの自由スペクトル領域の整数倍隔てられた前記入力信号の偏光が前記ＡＷＧによってもやはり分けられる、請求項１に記載の偏光スプリッタ。
【請求項４】
前記出力カプラと前記入力カプラのうちの少なくとも一方がスター・カプラを含む、請求項１に記載の偏光スプリッタ。
【請求項５】
前記出力カプラと前記入力カプラのうちの少なくとも一方がスラブ導波路レンズを含む、請求項１に記載の偏光スプリッタ。
【請求項６】
複数のチャネルを有する入力信号について波長の多重化および逆多重化のうちの少なくとも一方を実行する、請求項１に記載の偏光スプリッタ。
【請求項７】
光導波路から作製され、前記光導波路の各々が
シャロー・エッチングで埋め込まれたリブ構造の受動性層と、
埋め込みリブ構造の最上部の上で能動性層として機能する多重量子井戸（ＭＱＷ）の薄層を含む、請求項１に記載の偏光スプリッタ。
【請求項８】
さらに、同調可能な偏光制御器として機能する、請求項１に記載の偏光スプリッタ。
【請求項９】
受動性部分と能動性部分とを有する集積化された偏光スプリッタであって、
前記受動性部分にアレー導波路グレーティング（ＡＷＧ）を含み、前記ＡＷＧが、
入力信号を受信するための少なくとも１つの受信手段と、
前記入力手段を前記ＡＷＧに結合させるための手段と、
前記ＡＷＧから出力信号を結合させるための手段と、
前記入力結合手段と前記出力結合手段を接続するための等しくない長さの複数の導波路と、
少なくとも２つの出力手段を含み、
前記ＡＷＧの前記少なくとも２つの出力手段が、前記ＡＷＧの前記出力結合手段の自由空間領域の異なった位相面に到達する前記入力信号の第１の偏光成分と第２の偏光成分が前記出力手段の別々の出力手段によってそれぞれ受信されるように前記少なくとも１つの入力手段に対して配置され、それにより、前記第１の偏光成分と前記第２の偏光成分が前記ＡＷＧによって分けられ、
前記能動性部分及び前記受動性部分が能動性／受動性モノリシック集積化技術により集積化され、前記能動性部分は、前記ＡＷＧにより分けられた前記第１の偏光成分及び前記第２の偏光成分のうち少なくとも一方を個別に修正する少なくとも１つの能動性デバイスを含む偏光スプリッタ。
【請求項１０】
受動性部分と能動性部分とを有する偏光スプリッタを製造する方法であって、
能動性／受動性モノリシック集積化技術を使用して前記受動性部分及び前記能動性部分を集積化する工程を含み、前記受動性部分はアレー導波路グレーティング（ＡＷＧ）を含み、前記ＡＷＧの少なくとも２つの出力ポートが、前記ＡＷＧの出力側の自由空間領域の異なった位相面に到達する単一チャネル入力信号の第１の偏光成分と第２の偏光成分が前記出力ポートの別々のポートによってそれぞれ受信されるように入力ポートに対して配置され、それにより、前記第１の偏光成分と前記第２の偏光成分が前記ＡＷＧによって分けられ、前記能動性部分は、前記第１の偏光成分及び前記第２の偏光成分のうち少なくとも一方を修正する少なくとも１つの能動性デバイスを含む製造方法。
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
熱転写画像形成ドナーからレシーバ要素のウィンドウ領域に顔料着色剤を熱転写して少なくとも１つのカラーパターンをレシーバ要素上に形成することにより、ウィンドウ領域ならびに潜在マスク領域および顕在マスク領域の少なくとも一方を有するレシーバ要素上にカラーフィルタ要素を作製する方法であって、顔料着色剤を熱転写する前に、テクスチャリング材料を熱転写テクスチャリングドナーからレシーバ要素に熱転写し、テクスチャリング材料を前記潜在マスク領域および顕在マスク領域の少なくとも一方に転写することを含む改良を特徴とする方法。
【請求項２】
前記テクスチャリング材料は、前記潜在マスク領域および前記顕在マスク領域の少なくとも一方に加えてウィンドウ領域部分に転写されることを特徴とする請求項１に記載の方法。
【請求項３】
熱転写画像形成ドナーからレシーバ要素のウィンドウ領域に顔料着色剤を熱転写して少なくとも１つのカラーパターンをレシーバ要素上に形成することにより、ウィンドウ領域ならびに潜在マスク領域および顕在マスク領域の少なくとも一方を有するレシーバ要素上にカラーフィルタ要素を作製する方法であって、顔料着色剤を熱転写する前に、テクスチャリング材料を熱質量転写テクスチャリングドナーからレシーバ要素にテクスチャリングパターンで熱転写し、該パターンは、前記マスク領域の一方の部分および前記ウィンドウ領域の部分を覆うことを含む改良を特徴とする方法。
【手続補正２】
【補正対象書類名】明細書
【補正対象項目名】０１４２
【補正方法】変更
【補正の内容】
【０１４２】
（事例の評価）
前記事例は、欠陥に対し、目視、および、２０倍の拡大鏡により評価することができる。欠陥の数は、ゼロ、僅かな数（１０未満、使用を防げるほど極端には無い）、多少の数（１０〜５０の欠陥、または、１〜９の使用を防げる欠陥）、および、多数（５０を超える欠陥、または、１０以上の使用を妨げる欠陥）と分類することができる。比較事例は、多少の数または多数の欠陥を示し、本発明の事例は僅かな数またはゼロの欠陥を示すことが見込まれる。
本発明は以下の実施の態様を含むものである。
１．熱転写画像形成ドナーからレシーバ要素のウィンドウ領域に顔料着色剤を熱転写して少なくとも１つのカラーパターンをレシーバ要素上に形成することにより、ウィンドウ領域ならびに潜在マスク領域および顕在マスク領域の少なくとも一方を有するレシーバ要素上にカラーフィルタ要素を作製する方法であって、顔料着色剤を熱転写する前に、テクスチャリング材料を熱転写テクスチャリングドナーからレシーバ要素に熱転写し、テクスチャリング材料を前記ウィンドウ領域の一部ならびに前記潜在マスク領域および顕在マスク領域の少なくとも一方に転写することを含む改良を特徴とする方法。
２．前記少なくとも１つのカラーパターンは、前記レシーバ要素の少なくとも１つのウィンドウ領域上に形成されることを特徴とする前記１に記載の方法。
３．前記少なくとも１つのカラーパターンは、前記レシーバ要素の複数のウィンドウ領域上に形成されることを特徴とする前記１に記載の方法。
４．前記テクスチャリング材料は、無色であることを特徴とする前記１に記載の方法。
５．前記顔料着色剤は、透明な顔料着色剤であることを特徴とする前記１に記載の方法。
６．前記テクスチャリング材料は、透明な顔料着色剤を含むことを特徴とする前記５に記載の方法。
７．前記レシーバ要素は、ガラス基質を含むことを特徴とする前記１に記載の方法。
８．熱転写画像形成ドナーからレシーバ要素のウィンドウ領域に顔料着色剤を熱転写して少なくとも１つのカラーパターンをレシーバ要素上に形成することにより、ウィンドウ領域ならびに潜在マスク領域および顕在マスク領域の少なくとも一方を有するレシーバ要素上にカラーフィルタ要素を作製する方法であって、顔料着色剤を熱転写する前に、テクスチャリング材料を熱質量転写テクスチャリングドナーからレシーバ要素にテクスチャリングパターンで熱転写し、該パターンは、少なくとも前記マスク領域の一方の部分および前記ウィンドウ領域のわずかな一部を覆うことを含む改良を特徴とする方法。
９．前記テクスチャリング材料は、無色であることを特徴とする前記８に記載の方法。
１０．顔料着色剤は、透明な顔料着色剤であることを特徴とする前記８に記載の方法。
１１．前記テクスチャリング材料は、透明な顔料着色剤を含むことを特徴とする前記１０に記載の方法。
１２．前記レシーバ要素は、ガラス基質を含むことを特徴とする前記８に記載の方法。
１３．熱転写画像形成ドナーからレシーバ要素のウィンドウ領域に顔料着色剤を熱転写して少なくとも１つのカラーパターンをレシーバ要素上に形成することにより、ウィンドウ領域ならびに潜在マスク領域および顕在マスク領域の少なくとも一方を有するレシーバ要素上にカラーフィルタ要素を作製する方法であって、顔料着色剤を熱転写する前に、テクスチャリング材料を熱転写テクスチャリングドナーからレシーバ要素に転写し、テクスチャリング材料は、前記潜在マスク領域および前記顕在マスク領域の少なくとも一方に転写することを含む改良を特徴とする方法。
１４．前記少なくとも１つのカラーパターンは、前記レシーバ要素の少なくとも１つのウィンドウ領域上に形成されることを特徴とする前記１３に記載の方法。
１５．前記少なくとも１つのカラーパターンは、前記レシーバ要素の複数のウィンドウ領域上に形成されることを特徴とする前記１３に記載の方法。
１６．前記テクスチャリング材料は、無色であることを特徴とする前記１３に記載の方法。
１７．前記顔料着色剤は、透明な顔料着色剤であることを特徴とする前記１３に記載の方法。
１８．前記テクスチャリング材料は、透明な顔料着色剤を含むことを特徴とする前記１７に記載の方法。
１９．前記レシーバ要素は、ガラス基質を含むことを特徴とする前記１３に記載の方法。
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
ｉ）光活性成分；
ｉｉ）１個又はそれ以上のＳｉ原子を含有して成る樹脂成分；及び
ｉｉｉ）１個又はそれ以上のスルホン酸又はその塩部分を含有して成る成分
を含んで成るフォトレジスト組成物。
【請求項２】
スルホン酸又はその塩が、置換されていてもよいアルキルスルホン酸又はその塩である、請求項１に記載のフォトレジスト組成物。
【請求項３】
スルホン酸又はその塩が、１個又はそれ以上のハロゲンで置換されたアルキルスルホン酸又はその塩である、請求項１又は２に記載のフォトレジスト組成物。
【請求項４】
樹脂成分が、光で酸を遊離する基を含んで成る、請求項１〜３のいずれかに記載のフォトレジスト組成物。
【請求項５】
樹脂成分のポリマーが、芳香族基を含んで成る、請求項１〜４のいずれかに記載のフォトレジスト組成物。
【請求項６】
樹脂成分のポリマーが、実質的に芳香族基を含んでいない、請求項１〜４のいずれかに記載のフォトレジスト組成物。
【請求項７】
フォトレシスト組成物が、さらに塩基成分を含んで成る、請求項１〜６のいずれかに記載のフォトレジスト組成物。
【請求項８】
塩基成分が、アミンである、請求項７に記載のフォトレジスト組成物。
【請求項９】
フォトレジスト組成物が、さらに１つ又はそれ以上の非−ヒドロキシル溶媒を含有する溶媒成分を含んで成る、請求項１〜８のいずれかに記載のフォトレジスト組成物。
【請求項１０】
溶媒成分が、いかなるヒドロキシル基含有溶媒も含まない、請求項９に記載のフォトレジスト組成物。
【請求項１１】
溶媒成分が、プロピレングリコールメチルエーテルアセテート溶媒を含んで成る、請求項９又は１０に記載のフォトレジスト組成物。
【請求項１２】
溶媒成分の全溶媒の６０重量パーセント以上又は８０重量パーセント以上が、プロピレングリコールメチルエーテルアセテートである、請求項９〜１１のいずれかに記載のフォトレジスト組成物。
【請求項１３】
溶媒成分の唯一の溶媒が、プロピレングリコールメチルエーテルアセテートである、請求項９〜１２のいずれかに記載のフォトレジスト組成物。
【請求項１４】
（ａ）請求項１〜１３のいずれかに記載のフォトレジスト組成物の層を基板に塗布し；
（ｂ）このフォトレジスト塗布層を活性化放射線に露光して、露光された層を現像してレリーフ画像を得る：
ことを含んで成るフォトレジストレリーフ画像を形成する方法。
【請求項１５】
活性化放射線が、約２４８ｎｍ又は１９３ｎｍの波長を有する放射線である、請求項１４に記載の方法。
【請求項１６】
少なくとも１つの表面に請求項１〜１３のいずれかに記載のフォトレジスト組成物が塗布されている製品。
【請求項１７】
フォトレジスト組成物が、マイクロ電子ウェハー基板上に塗布されている請求項１６に記載の製品。
【手続補正書】
【提出日】平成19年11月15日(2007.11.15)
【手続補正１】
【補正対象書類名】明細書
【補正対象項目名】０００３
【補正方法】変更
【補正の内容】
【０００３】
タービン排気のエミッションレベルをモニタするのには、エミッションセンサを必要とする。産業用ガスタービンエンジン制御システムは、一般的に制御プロセス及び安全臨界センサに対して三重の冗長度を使用する。多くの場合、三重冗長度は、顧客及び政府機関の安全性及び信頼性への期待及び要求を満たすために必要になる。タービン排気に対して３つのエミッションセンサを設けることは、費用がかかりかつガスタービンのメンテナンス及び較正要求を付加することになる。
【特許文献１】米国特許第 4249238  号明細書
【特許文献２】米国特許第 5703777  号明細書
【特許文献３】米国特許第 5761895  号明細書
【特許文献４】米国特許第 6892127  号明細書
【特許文献５】米国特許第 2002/0083712  号明細書
【特許文献６】米国特許第 2002/0106001  号明細書
【特許文献７】米国特許第 2004/0030417  号明細書
【非特許文献１】AJ. Volponi, "Gas Turbine Parameter Corrections", Journal of Engineering for Gas Turbines and Power, by ASME, Oct. 1999, vol. 121, pp. 613-621
【非特許文献２】D. Johnson et al, "SPEEDTRONIC.TM. Mark V Gas Turbine Control System", pp. 1-18
【非特許文献３】J. Kure-Jensen et al, "SPEEDTRONIC.TM. Mark V Steam Turbine Control System", .COPYRGT. 1996 GE Company, pp. 1-15
【非特許文献４】Roointon Pavri et al, "Gas Turbine Emissions and Control", GE Power Systems GER-4211 (Mar. 2001), pp. 1-32
【非特許文献５】Walter Barker et al, "SPEEDTRONIC.TM. Mark VI Turbine Control System", GE Power Systems GER-4193A-(Oct. 2000), pp. 1-14
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
液剤を吸入流路内に液滴として吐出して利用者に吸入させる液剤吐出装置であって、
少なくとも、吸入するための通常の液滴吐出と吸入されることのない液滴予備吐出とが可能な吐出手段と、
前記液滴予備吐出にて吐出された液滴を吸入流路内から除去する排出手段と、
を有することを特徴とする液剤吐出装置。
【請求項２】
前記排出手段は、吐出手段に対向して配置されていることを特徴とする請求項１に記載の液剤吐出装置。
【請求項３】
前記排出手段は、吸入流路内から除去する液滴を回収する様に構成されていることを特徴とする請求項１又は２に記載の液剤吐出装置。
【請求項４】
前記排出手段が、排気ファンを含むことを特徴とする請求項１乃至３のいずれかに記載の液剤吐出装置。
【請求項５】
前記排出手段は、前記吸入流路に繋がる排出流路を有し、排出流路の途中に液滴回収フィルターを具備することを特徴とする請求項１乃至４のいずれかに記載の液剤吐出装置。
【手続補正２】
【補正対象書類名】明細書
【補正対象項目名】００１３
【補正方法】変更
【補正の内容】
【００１３】
上記課題に鑑み、本発明の液剤吐出装置は、液剤を吸入流路内に液滴として吐出して利用者に吸入させる液剤吐出装置である。そして、少なくとも、吸入するための通常の液滴吐出と吸入されることのない液滴予備吐出とが可能な吐出手段と、前記液滴予備吐出にて吐出された液滴を吸入流路内から除去する排出手段と、を有することを特徴とする。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
遊技媒体を受け入れる受入手段と、
前記各周回体の周回を開始させるべく操作される始動操作手段と、
前記遊技媒体の受入と前記始動操作手段の操作に基づいて、所定役及び特定役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて、該各停止操作手段の操作タイミングから予め定めた規定期間内に、操作された停止操作手段と対応する周回体の周回を停止させるように、且つ前記役の抽選に当選した場合には、該当選役と対応する絵柄が前記表示部から視認できる有効位置に停止し得るように前記各駆動手段を停止駆動制御する停止駆動制御手段と、
前記役の抽選結果が前記所定役当選であり、所定絵柄又は所定絵柄の組合せが前記有効位置に停止した場合、第１入賞成立として遊技者に遊技媒体を付与する媒体付与手段と、
前記役の抽選結果が特定役当選であり、特定絵柄の組合せが前記有効位置に停止した場合、第２入賞成立として遊技状態を遊技者に有利な特別遊技状態に移行させる状態移行手段と、
前記役の抽選結果が前記特定役当選であって前記第２入賞が成立しなかった場合、前記特定役当選を留保記憶する留保記憶手段と
を備えた遊技機において、
前記抽選役として、前記特定役と前記所定役に当選となる複数当選役を設定し、
前記停止駆動制御手段を、前記複数当選役に当選した場合、前記第２入賞が前記第１入賞より優先して成立し得るように、且つ、前記第２入賞を成立させることが不可能な場合には前記第１入賞が成立し得るように前記各駆動手段を停止駆動制御する構成としたことを特徴とする遊技機。
【請求項２】
前記停止駆動制御手段は、前記周回体の周回を停止させる停止態様として、前記停止操作手段の操作タイミングで前記有効位置に到達している到達絵柄を当該有効位置に停止させる停止態様と、前記到達絵柄を前記周回体の周回する側に予め定めた絵柄数分だけ移動させた後に停止させる停止態様と、のうち複数の停止態様を有し、
前記各周回体の絵柄配列を、前記特定絵柄と第１所定絵柄とを含む構成とすると共に、
前記有効位置に先に到達する特定絵柄と、前記有効位置に次に到達する同種又は同一の特定絵柄との間隔が前記規定期間に前記到達絵柄の移動できる最大絵柄数より大きな非配置区間が形成されるように、前記特定絵柄を配置し、
前記有効位置に先に到達する第１所定絵柄と、前記有効位置に次に到達する同種の第１所定絵柄との間隔が前記最大絵柄数以下となるように、前記第１所定絵柄を配置し、
前記複数当選役は、前記特定役と、前記第１所定絵柄と対応する第１所定役に当選となる抽選役であることを特徴とする請求項１に記載の遊技機。
【請求項３】
前記所定役として、前記停止操作手段の操作タイミングに関わらず入賞を成立させ得る第１所定役と、前記停止操作手段が所定のタイミングで操作された場合に限り入賞を成立させ得る第２所定役を設定し、
前記停止駆動制御手段は、前記周回体の周回を停止させる停止態様として、前記停止操作手段の操作タイミングで前記有効位置に到達している到達絵柄を当該有効位置に停止させる停止態様と、前記到達絵柄を前記周回体の周回する側に予め定めた絵柄数分だけ移動させた後に停止させる停止態様と、のうち複数の停止態様を有し、
前記各周回体の絵柄配列を、前記特定絵柄と、前記第１所定役と対応する第１所定絵柄と、前記第２所定役と対応する第２所定絵柄とを含む構成とすると共に、
前記有効位置に先に到達する第１所定絵柄と、前記有効位置に次に到達する同種の第１所定絵柄との間隔が前記規定期間に前記到達絵柄の移動できる最大絵柄数以下となるように、前記第１所定絵柄を配置し、
前記有効位置に先に到達する第２所定絵柄と、前記有効位置に次に到達する同種又は同一の第２所定絵柄との間隔が前記最大絵柄数より大きな非配置区間が形成されるように、前記第２所定絵柄を配置し、
前記特定絵柄を、前記非配置区間であって、前記規定期間に前記各所定絵柄を前記有効位置に到達させ得るタイミングで前記各停止操作手段が操作された場合に、前記有効位置に到達しない位置に配置し、
前記特定役の当選有無を示唆する補助演出を行う補助演出手段と、前記補助演出を行うか否か決定する補助演出決定手段とを備え、
前記補助演出手段は、前記各停止操作手段の操作が有効とされる前までに補助演出を開始すると共に、前記周回体の全てが周回を停止した後に前記特定役当選の有無を示唆するよう前記補助演出を行うことを特徴とする請求項１に記載の遊技機。